(57)【要約】      （修正有）【課題】対象者が簡便かつ正確に自身の顔サイズを判定することのできる顔サイズ判定装置及び顔サイズ判定方法を提供する。【解決手段】対象者の顔について、電流を供給するとともに電位差を取得する測定部と、測定部による測定結果を用いて、対象者の顔の皮下脂肪厚及びむくみ指標値の少なくとも一方を演算する演算部と、演算部による演算結果及び所定判定条件に基づいて、対象者の顔のサイズについて判定する判定部と、を備える。【選択図】図４
2013132384.tif 000002
【特許請求の範囲】
【請求項１】
対象者の顔について、電流を供給するとともに電位差を取得する測定部と、
前記測定部による測定結果を用いて、前記対象者の顔の皮下脂肪厚及びむくみ指標値の少なくとも一方を演算する演算部と、
前記演算部による演算結果及び所定判定条件に基づいて、前記対象者の顔のサイズについて判定する判定部と、
を備えること
を特徴とする顔サイズ判定装置。
【請求項２】
前記判定部は、前記所定判定条件として、前記皮下脂肪厚が、脂肪厚判定値を下回るときは前記対象者の顔は小顔であると判定し、前記脂肪厚判定値を上回るときは前記対象者の顔は大顔であると判定することを特徴とする請求項１に記載の顔サイズ判定装置。
【請求項３】
前記判定部は、前記所定判定条件として、前記むくみ指標値が、むくみ判定値を下回るときは前記対象者の顔はむくんでいると判定し、前記むくみ判定値を上回るときは前記対象者の顔はむくんでいないと判定することを特徴とする請求項１又は請求項２に記載の顔サイズ判定装置。
【請求項４】
前記測定部は、前記対象者の顔に接触する通電電極に交流電流を供給する電流供給部と、前記対象者の顔に接触する測定電極において電位差を測定する電圧測定部と、を備え、
前記演算部は、前記電流供給部が供給する交流電流と前記電圧測定部が取得する電位差とに基づいて、顔インピーダンス及び位相角を演算することを特徴とする請求項１乃至請求項３のうち、いずれか１に記載の顔サイズ判定装置。
【請求項５】
前記演算部は、前記顔インピーダンス及び前記位相角に基づいてレジスタンスとリアクタンスとを算出し、前記レジスタンス及び前記リアクタンスを用いて、前記対象者の顔の皮下脂肪厚を算出することを特徴とする請求項４に記載の顔サイズ判定装置。
【請求項６】
前記演算部は、次式によって前記皮下脂肪厚Ｌｆを算出することを特徴とする請求項５に記載の顔サイズ判定装置。
Ｌｆ＝ａ−ｂ・Ｒ／Ｘ
ここで、ａ及びｂは定数、Ｒは前記レジスタンス、Ｘは前記リアクタンスである。
【請求項７】
前記演算部は、前記顔インピーダンスを用いて前記むくみ指標値を算出することを特徴とする請求項４に記載の顔サイズ判定装置。
【請求項８】
前記演算部は、１回目の測定においては、次式によって前記むくみ指標値Ｓｗｅｌｌを算出することを特徴とする請求項７に記載の顔サイズ判定装置。
Ｓｗｅｌｌ＝Ｚｎｏｗ／Ｄ
ここで、Ｚｎｏｗは直近に測定した前記顔インピーダンス、Ｄは定数である。
【請求項９】
前記演算部は、２回目以降の測定においては、次式によって前記むくみ指標値Ｓｗｅｌｌを算出することを特徴とする請求項７に記載の顔サイズ判定装置。
Ｓｗｅｌｌ＝Ｚｎｏｗ／Ｚｂｅｆｏｒｅ
ここで、Ｚｎｏｗは直近に測定した前記顔インピーダンス、ＺｂｅｆｏｒｅはＺｎｏｗの測定の前に測定した前記顔インピーダンスである。
【発明の詳細な説明】
【技術分野】
【０００１】
本発明は、対象者の顔のサイズ又は顔のサイズの変化を判定する顔サイズ判定装置に関する。
【背景技術】
【０００２】
従来、顔のサイズや形状を測定又は判定する手段として次のものがある。まず、巻き尺その他の物差しを対象者の顔に当てて直接測定する方法がある。また、例えば特許文献１記載の鑑別法のように、超音波を用いて皮下脂肪の厚さを測定し、この測定結果を指標として顔の形状を識別する方法がある。さらにまた、ステレオレンジファインダによれば、３次元画像を取得し、この画像を解析することによって対象者の顔の形状を特定することができる。また、近赤外線を測定部位に照射し、脂肪層において反射される反射量によって皮下脂肪の厚さを測定するものもある。
【先行技術文献】
【特許文献】
【０００３】
【特許文献１】特開平１１−１３７５３７号公報
【発明の概要】
【発明が解決しようとする課題】
【０００４】
しかしながら、物差しを顔に当てて測る方法では、手軽に測定することは難しい。
また、特許文献１において提案されているような顔の形状の鑑別法では、測定器を顔に押し当てる力の大小に起因した測定誤差が発生しやすいものであり、その顔の形状の判定は皮下脂肪の厚さの測定結果を指標としているが、脂肪厚は目視により行うものであるため誤差が発生しやすくなり、この誤差を少なくするために厳密な条件下で測定することは測定者に煩雑な作業を強いることとなる。
【０００５】
ステレオレンジファインダを用いる測定は、測定装置が、大掛かり過ぎ、また高価なものであるため、個人がこの装置を購入及び使用することは現実的には困難である。
また、近赤外線を用いた装置による測定では、装置を測定部位に当てる圧力（当て圧）や環境温度によって測定誤差が生じやすいという問題がある。
【０００６】
そこで、本発明は、対象者が簡便かつ正確に自身の顔サイズを判定することのできる顔サイズ判定装置を提供することを目的とする。また、本発明の目的は、対象者個人が容易に入手することのできる顔サイズ判定装置を提供することを目的としている。
【課題を解決するための手段】
【０００７】
上記課題を解決するために、本発明の顔サイズ判定装置は、対象者の顔について、電流を供給するとともに電位差を取得する測定部と、測定部による測定結果を用いて、対象者の顔の皮下脂肪厚及びむくみ指標値の少なくとも一方を演算する演算部と、演算部による演算結果及び所定判定条件に基づいて、対象者の顔のサイズについて判定する判定部と、を備えることを特徴とする。
【０００８】
本発明の顔サイズ判定装置において、判定部は、所定判定条件として、皮下脂肪厚が、脂肪厚判定値を下回るときは対象者の顔は小顔であると判定し、脂肪厚判定値を上回るときは対象者の顔は大顔であると判定することを特徴とする。
【０００９】
本発明の顔サイズ判定装置において、判定部は、所定判定条件として、むくみ指標値が、むくみ判定値を下回るときは対象者の顔はむくんでいると判定し、むくみ判定値を上回るときは対象者の顔はむくんでいないと判定することを特徴とする。
【００１０】
本発明の顔サイズ判定装置において、測定部は、対象者の顔に接触する通電電極に交流電流を供給する電流供給部と、対象者の顔に接触する測定電極において電位差を測定する電圧測定部と、を備え、演算部は、電流供給部が供給する交流電流と電圧測定部が取得する電位差とに基づいて、顔インピーダンス及び位相角を演算することを特徴とする。
【００１１】
本発明の顔サイズ判定装置において、演算部は、顔インピーダンス及び位相角に基づいてレジスタンスとリアクタンスとを算出し、レジスタンス及びリアクタンスを用いて、対象者の顔の皮下脂肪厚を算出することを特徴とする。
【００１２】
本発明の顔サイズ判定装置において、演算部は、次式によって皮下脂肪厚Ｌｆを算出することを特徴とする。
Ｌｆ＝ａ−ｂ・Ｒ／Ｘ
ここで、ａ及びｂは定数、Ｒはレジスタンス、Ｘはリアクタンスである。
【００１３】
本発明の顔サイズ判定装置において、演算部は、顔インピーダンスを用いてむくみ指標値を算出することを特徴とする。
【００１４】
本発明の顔サイズ判定装置において、演算部は、１回目の測定においては、次式によってむくみ指標値Ｓｗｅｌｌを算出することを特徴とする。
Ｓｗｅｌｌ＝Ｚｎｏｗ／Ｄ
ここで、Ｚｎｏｗは直近に測定した顔インピーダンス、Ｄは定数である。
【００１５】
本発明の顔サイズ判定装置において、演算部は、２回目以降の測定においては、次式によってむくみ指標値Ｓｗｅｌｌを算出することを特徴とする。
Ｓｗｅｌｌ＝Ｚｎｏｗ／Ｚｂｅｆｏｒｅ
ここで、Ｚｎｏｗは直近に測定した顔インピーダンス、ＺｂｅｆｏｒｅはＺｎｏｗの測定の前に測定した顔インピーダンスである。
【発明の効果】
【００１６】
本発明によると、対象者の顔の皮下脂肪厚及びむくみ指標値の少なくとも一方に基づいて、対象者自身の顔のサイズを簡便かつ正確に判定することができる。
【図面の簡単な説明】
【００１７】
【図１】本発明の実施形態に係る顔サイズ判定装置の外観を示す前方斜視図である。
【図２】本発明の実施形態に係る顔サイズ判定装置の外観を示す後方斜視図である。
【図３】本発明の実施形態に係る顔サイズ判定装置の構成を示すブロック図である。
【図４】本発明の実施形態に係る顔サイズ判定の処理の流れを示すフローチャートである。
【図５】リアクタンス及びレジスタンスに対する、インピーダンス及び位相角の関係を示すグラフである。
【図６】本発明の実施形態に係る顔サイズ判定装置の表示部における表示例を示す図である。
【発明を実施するための形態】
【００１８】
以下、本発明の実施形態に係る顔サイズ判定装置について図面を参照しつつ詳しく説明する。本実施形態に係る顔サイズ判定装置においては、対象者（顔サイズ判定装置の使用者）の顔の皮下脂肪厚及びむくみ指標値の両方に基づいて、対象者の顔のサイズを判定するものであるが、皮下脂肪厚及びむくみ指標値の少なくとも一方に基づいて対象者の顔のサイズを判定するように構成しても良い。
【００１９】
図１は、本実施形態に係る顔サイズ判定装置１００の外観を示す前方斜視図、図２は、顔サイズ判定装置１００の外観を示す後方斜視図、図３は、顔サイズ判定装置１００の構成を示すブロック図である。
図３に示すように、顔サイズ判定装置１００は、測定部１３０と、演算部１６０と、判定部としての制御部１４０と、表示部１１０と、入力部１２０と、記憶部１５０と、電源部１７０と、を備える。
【００２０】
測定部１３０は、第１通電電極１３１、第２通電電極１３２、第１測定電極１３３、第２測定電極１３４、電流発生回路１３５、及び、電圧測定回路１３６を備え、対象者の顔において、電流を供給するとともに電位差を取得することができるようになっている。より具体的には、顔サイズ判定装置１００の本体１０１の背面側（図２参照）には、一例として、第１測定電極１３３、第１通電電極１３１、第２通電電極１３２、第２測定電極１３４がこの順番に配置されている。これらの４つの電極を対象者の顔に接触させ、制御部１４０の制御に基づいて、電流発生回路１３５が第１通電電極１３１（又は第２通電電極１３２）から微弱な交流電流を供給する。これにより、第１通電電極１３１（又は第２通電電極１３２）から対象者の顔内部組織を通って第２通電電極１３２（又は第１通電電極１３１）に至る電流経路が形成され、電圧測定回路１３６は、第１測定電極１３３及び第２測定電極１３４で電位差を取得・測定できるようになっている。なお、第１通電電極１３１、第２通電電極１３２、第１測定電極１３３、第２測定電極１３４の配置関係は適宜変更しても良い。
【００２１】
演算部１６０は、前記電流経路を流れる電流と、測定部１３０による測定結果である電位差と、に基づいて、対象者の顔の顔インピーダンス、位相角、レジスタンス、リアクタンス、皮下脂肪厚、及びむくみ指標値を算出する。なお、むくみ指標値とは、むくみ量を判定するために指標となる数値であり、顔インピーダンスに基づいて算出する。
【００２２】
制御部１４０は、測定部１３０の動作、表示部１１０の表示、演算部１６０による演算を制御するほか、判定部として、演算部１６０による皮下脂肪厚及びむくみ指標値の演算結果及び所定の判定条件に基づいて、対象者の顔のサイズの判定を行う。また、制御部１４０は、測定した顔インピーダンス及び位相角が安定条件を満たすか否かを判断する。
【００２３】
表示部１１０は、制御部１４０の制御に基づいて、顔サイズの判定結果、対象者に対する報知や指示などを表示する。表示部１１０としては、例えば液晶、ＥＬ素子を用いる。入力部１２０は、対象者の操作に対応した所定の情報を制御部１４０に伝達する。なお、表示部１１０及び入力部１２０の個数や配置場所は特に限定されるものではないが、一例としては、図１に示すように、顔サイズ判定装置１００の本体１０１の正面側に設ける。電源部１７０は、各部に必要な電力を供給する。その電源としては、電池を採用するのが好適であるが、特に限定されるものではない。
【００２４】
記憶部１５０には、演算部１６０による演算結果、演算部１６０が演算に用いる計算式及びこれを実行するためのプログラム、顔サイズの判定に用いる所定値、対象者の生体情報、電流発生回路１３５が通電電極１３１、１３２に供給する電流値の情報、電圧測定回路１３６が測定電極１３３、１３４で測定した電位差の測定結果、顔サイズ判定に用いる判定条件と判定内容の組み合わせのテーブルなどが保存されている。
【００２５】
なお、図１に示すように、顔サイズ判定装置１００は、本体１０１の測定部１３０（図２参照）を保護するため、キャップ１０２が装着可能に構成されてもよい。
【００２６】
次に、図４を参照しつつ、本実施形態に係る顔サイズ判定装置１００を用いた顔サイズ判定方法の処理の流れについて説明する。ここで、図４は、本発明の実施形態に係る顔サイズ判定の処理の流れを示すフローチャートである。
【００２７】
まず、測定部１３０を対象者の顔に接触させて顔インピーダンス及び位相角（位相差）を順に測定する（ステップＳ１０１、Ｓ１０２）。
具体的には次のとおりである。対象者が、第１通電電極１３１、第２通電電極１３２、第１測定電極１３３、及び第２測定電極１３４を自身の顔に接触させる。制御部１４０による制御のもと、電流発生回路１３５は、第１通電電極１３１（又は第２通電電極１３２）から所定の交流電流を供給するので、第１通電電極１３１（又は第２通電電極１３２）から対象者の顔内部組織を通って第２通電電極１３２（又は第１通電電極１３１）に至る電流経路が形成され、電圧測定回路１３６は、第１測定電極１３３及び第２測定電極１３４における電位差を測定する。
【００２８】
ここで、測定部１３０は、対象者の顔の笑筋、あご下、その他の顔の位置に接触させることが好ましく、特に笑筋上に接触させることが好ましい。顔の中で最も筋肉が発達している笑筋上に測定部１３０を接触させて測定すれば、表皮から筋肉層までの距離が短くなるため、測定精度が高まる。
【００２９】
制御部１４０は、上記電流経路を流れる交流電流の電流（電流発生回路１３５が供給した電流）と、電圧測定回路１３６が測定した電位差（電圧）と、から対象者の顔のインピーダンス（顔インピーダンスＺ）を算出する（ステップＳ１０１）。算出は、記憶部１５０に予め記憶された算出式に基づいて、演算部１６０が行う。この算出結果は、記憶部１５０に記憶される。
【００３０】
また、制御部１４０は、前記電流経路を流れる電流と、電圧測定回路１３６が測定した電位差（電圧）とから対象者の顔についての位相角θを算出する（ステップＳ１０２）。算出結果は、記憶部１５０に記憶される。
【００３１】
次に、制御部１４０は、顔インピーダンスＺ及び位相角θが安定条件を充足するか否かを判断する（ステップＳ１０３）。具体的には、制御部１４０は、「Ｚ＜Ａ」及び「Ｂ＜θ＜Ｃ」を同時に満たすか否かを判断する。ここで、Ａ、Ｂ、Ｃは定数であり、異常値に基づく顔サイズ判定を避けるための数値を適宜設定すればよく、一例としては、それぞれ１００Ω、１０度、８０度と設定する。
【００３２】
上記安定条件を充足していない場合（ステップＳ１０３でＮＯ）、制御部１４０は、安定条件を充足していないと判断し、再び、顔インピーダンス及び位相角（位相差）の測定を順に実行する（ステップＳ１０１、Ｓ１０２）。
【００３３】
上記安定条件を充足している場合（ステップＳ１０３でＹＥＳ）、制御部１４０は、安定条件を充足していると判断し、演算部１６０にレジスタンスＲ及びリアクタンスＸを算出させる（ステップＳ１０４）。より具体的には、レジスタンスＲ及びリアクタンスＸは、顔インピーダンスＺ及び位相角θを用いて、それぞれ「Ｒ＝Ｚｓｉｎθ」及び「Ｘ＝Ｚｃｏｓθ」として算出される。算出されたレジスタンスＲ及びリアクタンスＸは、記憶部１５０に保存される。
【００３４】
続いて、制御部１４０は、演算部１６０に皮下脂肪厚Ｌｆを算出させる（ステップＳ１０５）。皮下脂肪厚Ｌｆは「Ｌｆ＝ａ−ｂ・Ｒ／Ｘ」で算出される。ここで、ａ及びｂは定数であり、例えば、年齢・性別を考慮した不特定多数の被験者を対象とした統計を行い、Ｒ／Ｘ値から適切な皮下脂肪厚Ｌｆを算出可能な定数を、前記統計結果に基づいて予め適宜設定する。算出された皮下脂肪厚Ｌｆは、記憶部１５０に保存される。
【００３５】
このように本発明は、皮下脂肪厚の大小を顔サイズ判定の基礎として用いるために、Ｒ／Ｘ比から皮下脂肪厚を測定する。これは、脂肪層が筋肉層に比べて位相差を生じ難いという特徴が知られているため、脂肪厚が大きいほど脂肪層の性質が影響して位相差が小さくなる一方、脂肪層が小さいほど筋肉層の性質が影響して位相差が大きくなるという傾向が認められる。そこで、電流発生回路１３５から供給される電流と、電圧測定回路１３６により測定される電圧とから、両者の位相差を求めて顔インピーダンスを算出し、さらに位相差と顔インピーダンスとから、レジスタンスＲ及びリアクタンスＸを求め、リアクタンスＸとレジスタンスＲとの比であるＲ／Ｘを、皮下脂肪厚Ｌｆの算出の基礎として用いている。位相差が小さいほどレジスタンスＲに対するリアクタンスＸの割合は小さくなり、位相差が大きいほどレジスタンスＲに対するリアクタンスＸの割合は大きくなる。
【００３６】
次に、制御部１４０は、演算部１６０にむくみ指標値Ｓｗｅｌｌを算出させる（ステップＳ１０６）。むくみ指標値は、１回目の測定においては「Ｓｗｅｌｌ＝Ｚｎｏｗ／Ｄ」で算出され、２回目以降の測定においては「Ｓｗｅｌｌ＝Ｚｎｏｗ／Ｚｂｅｆｏｒｅ」で算出される。ここで、Ｚｎｏｗは直近で測定した顔インピーダンスである。Ｄは定数であるが、一例としては、２６．７Ωと設定する。Ｚｂｅｆｏｒｅは、Ｚｎｏｗの測定の前に測定された、記憶部１５０に保存されている顔インピーダンスであり、演算時に記憶部１５０から読み出される。算出されたＳｗｅｌｌは記憶部１５０に保存される。
【００３７】
このように本発明は、むくみの大小を顔サイズ判定の基礎として用いるために、顔インピーダンスの大きさからむくみ指標値を算出するものである。なお、顔のむくみは、主として血液やリンパが滞って循環が悪くなり、水分の排出がされ難いことに起因して生ずることが多い。従って、水分が多い状況（むくみ状態）では電流が流れ易いことから顔インピーダンスが低くなり、水分が少ない状況（むくんでいない状態）では電流が流れ難いことから顔インピーダンスが高くなる。図５は、レジスタンスＲ、リアクタンスＸ、及びインピーダンスＺ（顔インピーダンスＺ）の関係を示す図である。顔がむくんでいない場合（図５（ａ））に対して、顔がむくんでいる場合（図５（ｂ））は、インピーダンスＺは小さな値となる。
【００３８】
ステップＳ１０６までの処理が終了すると、制御部１４０は表示部１１０に測定が完了した旨を表示することによって、対象者に測定が完了したことを報知する（ステップＳ１０７）。報知方法は、表示部１１０への表示のほか、音や振動によるものでもよい。
【００３９】
続いて、制御部１４０は、対象者の顔サイズの判定を行う（ステップＳ１０８）。顔サイズの判定の一例について、以下に説明する。本実施形態では、皮下脂肪厚とむくみ指標値の両方を用いて顔サイズの判定を行う。
【００４０】
顔サイズの判定は、算出した皮下脂肪厚Ｌｆが脂肪厚判定値ＶＬよりも大きいか又は小さいかの判断と、算出したむくみ指標値Ｓｗｅｌｌがむくみ判定値ＶＳよりも大きいか又は小さいかの判断と、に基づいて総合的に判断する。より具体的には、制御部１４０は、記憶部１５０から皮下脂肪厚Ｌｆの算出結果、及び、脂肪厚判定値ＶＬを読み出し、これらを互いに比較し、以下の（ａ）、（ｂ）、（ｃ）のいずれに該当するかを判断する。
（ａ）皮下脂肪厚Ｌｆが脂肪厚判定値ＶＬを上回った
（ｂ）皮下脂肪厚Ｌｆが脂肪厚判定値ＶＬと同一
（ｃ）皮下脂肪厚Ｌｆが脂肪厚判定値ＶＬを下回った
【００４１】
また、制御部１４０は、記憶部１５０からむくみ指標値Ｓｗｅｌｌの算出結果、及び、むくみ判定値ＶＳを読み出し、これらを互いに比較し、以下の（ｄ）、（ｅ）のいずれに該当するかを判断する。
（ｄ）むくみ指標値Ｓｗｅｌｌがむくみ判定値ＶＳを上回った
（ｅ）むくみ指標値Ｓｗｅｌｌがむくみ判定値ＶＳと同一又は下回った
【００４２】
制御部１４０は、上述の（ａ）を満たす場合は大顔であると判断し、（ｂ）を満たす場合は標準サイズであると判断し、（ｃ）を満たす場合は小顔であると判断する。また、制御部１４０は、上述の（ｄ）を満たす場合は、顔がむくんでいないと判断し、（ｅ）を満たす場合は、顔はむくんでいると判断する。
【００４３】
なお、皮下脂肪厚についての判断と、むくみについての判断と、の順序は上記と逆に実行してもよい。また、皮下脂肪厚についての判断は、皮下脂肪厚Ｌｆの算出工程（ステップＳ１０５）の直後において実行しても良い。同様に、むくみについての判断は、むくみ指標値Ｓｗｅｌｌの算出工程（ステップＳ１０６）の直後において実行しても良い。
【００４４】
ここで、脂肪厚判定値ＶＬ及びむくみ判定値ＶＳは、所定の固定値として設定してもよいが、これに限定されるものではなく、一定の数値範囲をもって設定してもよい。また、これらの判定値は、対象者の生体情報（例えば、性別、身長、体重）に応じて、対象者ごとに設定されるのが好適である。例えば、顔サイズ判定前、初期設定として、対象者が入力部１２０を操作して自己の性別、身長、体重その他の必要な情報を入力し、これらの情報を所定式に基づいて演算部１６０が脂肪厚判定値及びむくみ判定値をそれぞれ算出したり、あるいは、性別・身長・体重等の生体情報と脂肪厚判定値及びむくみ判定値との対応関係をテーブルデータ化して予め記憶しておき、前記テーブルデータに従って，入力された生体情報に対応する脂肪厚判定値及びむくみ判定値を決定したりして、脂肪厚判定値及びむくみ判定値を記憶部１５０に保存しておく。
【００４５】
制御部１４０は、上述の、皮下脂肪厚及びむくみについての判断に基づいて以下のように顔サイズを判定する。
（ｉ）      （ａ）及び（ｄ）を満たす場合は、皮下脂肪が多い大顔である。
（ｉｉ）    （ｂ）及び（ｄ）を満たす場合は、標準サイズでむくみはない。
（ｉｉｉ）  （ｃ）及び（ｄ）を満たす場合は、小顔で引き締まっている。
（ｉｖ）    （ａ）及び（ｅ）を満たす場合は、大顔でむくんでいる。
（ｖ）      （ｂ）及び（ｅ）を満たす場合は、標準サイズだがむくんでいる。
（ｖｉ）    （ｃ）及び（ｅ）を満たす場合は、小顔だがむくんでいる。
（ｉ）〜（ｖｉ）における（ａ）〜（ｅ）の組み合わせと判定内容は、テーブルとしてあらかじめ記憶部１５０に保存されている。
【００４６】
次に、制御部１４０は、顔サイズの判定結果を表示部１１０に表示させる（ステップＳ１０９）。表示部１１０には、判定結果として、上述の（ｉ）〜（ｖｉ）のいずれか該当する内容を、文字、又はこれに代わるイラストやマーク等で表示するほか、例えば図６（ａ）、（ｂ）に示すような内容を表示する。ここで、図６は、顔サイズ判定装置１００の表示部１１０における表示例を示す図である。図６（ａ）の表示例は、皮下脂肪厚の測定値が、単位ｍｍにより数値表示される例である。図６（ｂ）の表示例は、小顔度判定として、対象者の顔が小顔、普通、大顔のいずれに該当するかを、１０段階で表示する例を示す。
【００４７】
２回目以降の測定における顔サイズ判定の処理では、前回の測定で得られた皮下脂肪厚Ｌｆ及びむくみ指標値Ｓｗｅｌｌの値を基準値として用い、直近（今回）の測定で得られた皮下脂肪厚Ｌｆ及びむくみ指標値Ｓｗｅｌｌをその基準値と比較して、皮下脂肪厚Ｌｆ及びむくみ指標値Ｓｗｅｌｌの増減判定を実行するのが好適である。これにより、皮下脂肪厚の減少又は蓄積の傾向や、むくみの改善又は悪化の傾向を確認することができる。
【００４８】
以上のように構成されたことから、上記実施形態に係る顔サイズ判定装置によれば、次の効果を奏する。
（１）対象者の顔に測定部を接触させるだけで、簡便に皮下脂肪厚及びむくみ指標値を算出でき、さらに顔サイズを判定することができる。さらに、簡便に顔サイズ判定操作を行うことができるため、対象者が定期的・継続的に顔サイズ判定を行う意欲を維持・増進させることができる。また、顔マッサージの前後でも測定を簡便に行うことにより、顔マッサージの効果を容易に確認することができる。
（２）対象者の顔に測定部の電極を接触させるのみで、皮下脂肪厚及びむくみ指標値の算出、並びに、顔サイズの判定を実行できるため、顔へ押し当てる圧力や環境温度による誤差が生じにくく、より正確な算出及び判定を行うことができる。
（３）電極、電流発生回路、電圧測定回路等により構成可能であるため、装置の低コスト化・小型化が可能であり、これにより個人が容易に購入・使用することができる。
【００４９】
以下に変形例について説明する。
（変形例１）
上述の実施形態では、皮下脂肪厚及びむくみ指標値の両方を用いて顔サイズの判定を行っていたが、これに代えて、皮下脂肪厚のみ、又はむくみ指標値のみで顔サイズを判定するように構成してもよい。
【００５０】
まず、皮下脂肪厚のみを用いて顔サイズを判定する場合の処理の流れについて、図４を参照しつつ説明する。
この場合は、顔インピーダンス計測（ステップＳ１０１）、位相角計測（ステップＳ１０２）、安定条件の判断（ステップＳ１０３）、レジスタンス及びリアクタンスの算出（ステップＳ１０４）、及び、皮下脂肪厚の演算（ステップＳ１０５）の各処理は、上記実施形態と同様に実行する。その後、むくみ指標値の演算（ステップＳ１０６）を実行せずに、測定完了を報知する（ステップＳ１０７）。
【００５１】
顔サイズ判定（ステップＳ１０８）は、算出した皮下脂肪厚が脂肪厚判定値ＶＬよりも大きいか小さいかの判断に基づいて判断する。具体的には、上述の実施形態と同様に、制御部１４０は、記憶部１５０から皮下脂肪厚Ｌｆの算出結果及び脂肪厚判定値ＶＬを読み出し、これらを互いに比較する。そして以下の（ａ）、（ｂ）、（ｃ）のいずれに該当するかを判断する。
（ａ）皮下脂肪厚Ｌｆが脂肪厚判定値ＶＬを上回った
（ｂ）皮下脂肪厚Ｌｆが脂肪厚判定値ＶＬと同一
（ｃ）皮下脂肪厚Ｌｆが脂肪厚判定値ＶＬを下回った
制御部１４０は、上述の（ａ）を満たす場合は大顔であると判断し、（ｂ）を満たす場合は標準サイズであると判断し、（ｃ）を満たす場合は小顔であると判断する。顔サイズ判定（ステップＳ１０８）が完了すると、制御部１４０は、顔サイズの判定結果を表示部１１０に表示させる（ステップＳ１０９）。
【００５２】
次に、むくみ指標値のみを用いて顔サイズを判定する場合の処理の流れについて、図４を参照しつつ説明する。この場合は、顔インピーダンス計測（ステップＳ１０１）、及び安定条件の判断（ステップＳ１０３）は上記実施形態と同様に処理を実行する。続いて、むくみ指標値の演算（ステップＳ１０６）を実行し、測定完了を報知する（ステップＳ１０７）。なお、位相角計測（ステップＳ１０２）、レジスタンス及びリアクタンスの算出（ステップＳ１０４）、及び、皮下脂肪厚の演算（ステップＳ１０５）は実行しない。
【００５３】
つづく、顔サイズ判定（ステップＳ１０８）は、算出したむくみ指標値がむくみ判定値ＶＳよりも大きいか小さいかの判断に基づいて判断する。
具体的には、上述の実施形態と同様に、制御部１４０は、記憶部１５０からむくみ指標値Ｓｗｅｌｌの算出結果及びむくみ判定値ＶＳを読み出し、これらを互いに比較する。そして以下の（ｄ）、（ｅ）のいずれに該当するかを判断する。
（ｄ）むくみ指標値Ｓｗｅｌｌがむくみ判定値ＶＳを上回ったか
（ｅ）むくみ指標値Ｓｗｅｌｌがむくみ判定値ＶＳと同一又は下回ったか
制御部１４０は、上述の（ｄ）を満たす場合は、顔はむくんでいない（標準サイズ又は小顔である）と判断し、（ｅ）を満たす場合は顔がむくんでいる（大顔である）と判断する。顔サイズ判定（ステップＳ１０８）が完了すると、制御部１４０は、顔サイズの判定結果を表示部１１０に表示させる（ステップＳ１０９）。
【００５４】
本発明について上記実施形態を参照しつつ説明したが、本発明は上記実施形態に限定されるものではなく、改良の目的または本発明の思想の範囲内において改良または変更が可能である。
【００５５】
例えば、本発明に係る顔サイズ判定装置による判定処理において、上記の判定内容に応じた顔のケア方法に関するアドバイス情報を表示するようにしてもよい。また、若年者は年配者に比べて表皮・筋肉組織に水分含有率が高いことから、前記判定処理において、顔インピーダンスが低い場合には顔年齢が若い、高い場合には顔年齢が高いものと判定して、顔年齢を表示するようにしてもよい。
【産業上の利用可能性】
【００５６】
以上のように、本発明に係る顔サイズ判定装置は、個人が手軽に測定したい場合に有用であり、さらに簡便な操作で正確に顔サイズを判定することができる。
【符号の説明】
【００５７】
１００    顔サイズ判定装置
１０１    本体
１０２    キャップ
１１０    表示部
１２０    入力部
１３０    測定部
１３１    第１通電電極
１３２    第２通電電極
１３３    第１測定電極
１３４    第２測定電極
１３５    電流発生回路
１３６    電圧測定回路
１４０    制御部
１５０    記憶部
１６０    演算部
１７０    電源部
【図１】
2013132384.tif 000003
【図２】
2013132384.tif 000004
【図３】
2013132384.tif 000005
【図４】
2013132384.tif 000006
【図５】
2013132384.tif 000007
【図６】
2013132384.tif 000008